(57)【特許請求の範囲】
【請求項１】
電圧を供給する外部電源に電力線を介して接続される照明制御装置と、
前記照明制御装置を介して前記電力線に接続されて、互いに光色の異なる光を出射する複数色の照明素子を含む点灯負荷に電力を供給する照明器具と
を備え、前記複数色の照明素子の各々から出射される光が混光されて、前記照明器具から任意の光色の光が出射される照明システムであって、
前記照明制御装置は、前記電圧の波形が、制御信号設定区間において、設定された切り欠きのパターンを有するように、前記電圧の導通を制御するスイッチ部を備え、
前記照明器具は、
前記スイッチ部を介して伝送された前記電圧に基づいて、前記点灯負荷に前記電力を供給する点灯電力供給部と、
前記切り欠きのパターンに基づいて、前記点灯電力供給部の動作を制御する制御信号を生成する信号生成部と
を備え、
前記制御信号設定区間において、前記切り欠きのパターンごとに前記切り欠きの位置及び／又は数が変化し、
前記切り欠きのパターンは、光量を示す第１パターンと、光色を示す第２パターンとを含み、
前記信号生成部は、前記第１パターンの切り欠きに対応する第１デジタル信号と、前記第２パターンの切り欠きに対応する第２デジタル信号とを発生させ、前記第１デジタル信号及び前記第２デジタル信号に基づいて前記制御信号を生成する、照明システム。
【請求項２】
前記制御信号によって、前記複数色の照明素子に流れる電流の割合が制御されて、前記点灯負荷から発生する光の光色が調節される、請求項１に記載の照明システム。
【請求項３】
前記制御信号によって、前記複数色の照明素子に流れる電流の合計値が制御されて、前記点灯負荷から発生する光の光量が調節される、請求項１又は２に記載の照明システム。
【請求項４】
前記照明器具を複数個備え、
前記複数個の照明器具が前記電力線に対して並列接続されている、請求項１〜３のいずれか１項に記載の照明システム。
【請求項５】
前記照明器具を複数個備え、
前記複数個の照明器具が前記電力線に対して並列接続されており、かつ、前記複数個の照明器具の各々にアドレスが設定されており、
前記複数個の照明器具の各々の前記信号生成部は、前記切り欠きのパターンが自己のアドレスと同一のアドレスを示すパターンを含む場合に、該切り欠きのパターンに基づいて、前記制御信号を生成する、請求項１〜４のいずれか１項に記載の照明システム。
【請求項６】
前記スイッチ部は、前記電圧の波形が、前記切り欠きのパターンを繰り返し有するように、前記電圧の導通を制御する、請求項１〜５のいずれか１項に記載の照明システム。
【請求項７】
前記スイッチ部は、半導体スイッチを含む、請求項１〜６のいずれか１項に記載の照明システム。
【請求項８】
前記外部電源から交流電圧が供給され、
前記点灯電力供給部は、
前記スイッチ部を介して伝送された前記交流電圧を整流する整流回路と、
前記整流回路の出力を平滑化する平滑回路と
を含み、
前記信号生成部は、前記整流回路による整流後の電圧が有する前記切り欠きのパターンに基づいて、前記制御信号を生成する、請求項１〜７のいずれか１項に記載の照明システム。
【請求項９】
前記スイッチ部は、前記制御信号設定区間以外の区間において、前記交流電圧を連続的に通過させる、請求項８に記載の照明システム。
【請求項１０】
前記照明制御装置は、前記交流電圧のゼロクロスを検出するゼロクロス検出部を更に備え、
前記スイッチ部は、前記ゼロクロス検出部の検出結果に基づいて前記交流電圧の導通を制御する、請求項８又は９に記載の照明システム。
【請求項１１】
前記交流電圧の半波において、前記半波が始まる前記ゼロクロスから該半波の位相角度９０度未満の位置まで該半波の波形が切り欠かれるように、前記スイッチ部が前記交流電圧の導通を制御する、請求項１０に記載の照明システム。
【請求項１２】
前記照明制御装置は、前記スイッチ部の駆動信号を生成する駆動部を更に備え、
前記駆動部は、前記スイッチ部が連続的に前記交流電圧を通過させる間、前記交流電圧の半波ごとに、前記半波が始まる前記ゼロクロスから該半波が終わる前記ゼロクロスの手前まで前記駆動信号を生成する、請求項１０又は１１に記載の照明システム。
【請求項１３】
互いに光色の異なる光を出射する複数色の照明素子を含む点灯負荷に電力を供給することにより、前記複数色の照明素子の各々から出射される光が混光されて、任意の光色の光を出射する照明器具であって、
外部電源から供給される電圧の波形が、制御信号設定区間において、設定された切り欠きのパターンを有するように前記電圧の導通を制御するスイッチ部を介して伝送された前記電圧に基づいて、前記点灯負荷に前記電力を供給する点灯電力供給部と、
前記切り欠きのパターンに基づいて、前記点灯電力供給部の動作を制御する制御信号を生成する信号生成部と
を備え、
前記制御信号設定区間において、前記切り欠きのパターンごとに前記切り欠きの位置及び／又は数が変化し、
前記切り欠きのパターンは、光量を示す第１パターンと、光色を示す第２パターンとを含み、
前記信号生成部は、前記第１パターンの切り欠きに対応する第１デジタル信号と、前記第２パターンの切り欠きに対応する第２デジタル信号とを発生させ、前記第１デジタル信号及び前記第２デジタル信号に基づいて前記制御信号を生成する、照明器具。
【発明の詳細な説明】
【技術分野】
【０００１】
本発明は、照明システム、及び照明器具に関する。
【背景技術】
【０００２】
近年、照明光源として、白熱電球や蛍光灯に代わり、ＬＥＤ（Ｌｉｇｈｔ  Ｅｍｉｔｔｉｎｇ  Ｄｉｏｄｅ）が普及してきている。ＬＥＤ照明器具の調光方式には、例えば、位相制御方式、信号線方式、ＰＬＣ（Ｐｏｗｅｒ  Ｌｉｎｅ  Ｃｏｍｍｕｎｉｃａｔｉｏｎ）方式、無線方式がある。位相制御方式は、照明器具に供給する交流電圧の位相を調整して調光する方式である。信号線方式では、照明器具に電力を供給するための電力線に対して独立した信号線が用いられる。即ち、信号線方式は、コントローラーから照明器具へ、独立した信号線を介して調光のための制御信号を伝送して調光する方式である。ＰＬＣ方式は、コントローラーと照明器具とが接続する商用電源ラインを介して、コントローラーから照明器具へ調光のための制御信号を伝送して調光する方式である。無線方式は、コントローラーから照明器具へ、無線信号を媒体として調光のための制御信号を送信して調光する方式である。このため無線方式では、コントローラーが、無線信号を送信するための送信回路を備え、照明器具が、無線信号を受信するための受信回路を備える。
【先行技術文献】
【特許文献】
【０００３】
【特許文献１】特開２０１１−１７１００６号公報
【発明の概要】
【発明が解決しようとする課題】
【０００４】
しかしながら、位相制御方式の場合、交流電圧の位相を調整して１種類の制御信号を送ることしかできないため、互いに光色が異なる複数色のＬＥＤにそれぞれ異なる制御信号を送ることが困難である。したがって、位相制御方式は調色制御に適さない。信号線方式の場合、伝送する信号の種類の数だけ配線や制御回路が必要となり、構成が複雑になる。ＰＬＣ方式は、商用電源ラインに制御信号を重畳させるため、商用電源ラインに接続された他の電気機器への電気的影響が生じ、他の電気機器において誤動作が生じる可能性がある。また、ＰＬＣ方式の場合、照明器具が他の電気機器から発生するノイズの影響を受け、誤動作する可能性がある。無線方式の場合、制御信号の送信側に送信回路が必要であるとともに、受信側に受信回路が必要であるため、構成が複雑になる。また、無線方式の場合、コントローラー（送信回路）に接続する照明器具ごとにアドレスを付与する必要がある。更に、アドレスのグルーピングなどが必要となる。よって、制御が複雑になる。
【０００５】
本発明は、上記問題に鑑みてなされたものであり、構成がシンプルであるとともに、容易に調光制御又は調光調色制御を行うことができる照明システム、及び照明器具を提供することを目的とする。
【課題を解決するための手段】
【０００６】
本願に開示する照明システムは、電圧を供給する外部電源に電力線を介して接続される照明制御装置と、前記照明制御装置を介して前記電力線に接続されて、互いに光色の異なる光を出射する複数色の照明素子を含む点灯負荷に電力を供給する照明器具とを備える。前記複数色の照明素子の各々から出射される光が混光されて、前記照明器具から任意の光色の光が出射される。前記照明制御装置は、前記電圧の波形が、制御信号設定区間において、設定されたパターンを有するように、前記電圧の導通を制御するスイッチ部を備える。前記照明器具は、点灯電力供給部と信号生成部とを備える。前記点灯電力供給部は、前記スイッチ部を介して伝送された前記電圧に基づいて、前記点灯負荷に前記電力を供給する。前記信号生成部は、前記切り欠きのパターンに基づいて、前記点灯電力供給部の動作を制御する制御信号を生成する。また、前記制御信号設定区間において、前記切り欠きのパターンごとに前記切り欠きの位置及び／又は数が変化する。更に、前記切り欠きのパターンは、光量を示す第１パターンと、光色を示す第２パターンとを含み、前記信号生成部は、前記第１パターンの切り欠きに対応する第１デジタル信号と、前記第２パターンの切り欠きに対応する第２デジタル信号とを発生させ、前記第１デジタル信号及び前記第２デジタル信号に基づいて前記制御信号を生成する。
【０００８】
本願に開示する照明システムは、前記制御信号によって、前記複数色の照明素子に流れる電流の割合が制御されて、前記点灯負荷から発生する光の光色が調節されてもよい。
【０００９】
本願に開示する照明システムは、前記制御信号によって、前記複数色の照明素子に流れる電流の合計値が制御されて、前記点灯負荷から発生する光の光量が調節されてもよい。
【００１１】
本願に開示する照明システムは、前記照明器具を複数個備えてもよい。また、前記複数個の照明器具は、前記電力線に対して並列接続されてもよい。
【００１２】
本願に開示する照明システムは、前記照明器具を複数個備えてもよい。また、前記複数個の照明器具は、前記電力線に対して並列接続され、かつ、前記複数個の照明器具の各々にアドレスが設定されてもよい。この場合、前記複数個の照明器具の各々の前記信号生成部は、前記切り欠きのパターンが自己のアドレスと同一のアドレスを示すパターンを含む場合に、該切り欠きのパターンに基づいて、前記制御信号を生成してもよい。
【００１３】
本願に開示する照明システムにおいて、前記スイッチ部は、前記電圧の波形が、前記切り欠きのパターンを繰り返し有するように、前記電圧の導通を制御してもよい。
【００１４】
本願に開示する照明システムにおいて、前記スイッチ部は、半導体スイッチを含んでもよい。
【００１５】
本願に開示する照明システムにおいて、前記外部電源から交流電圧が供給され、前記点灯電力供給部は、整流回路と平滑回路とを含んでもよい。前記整流回路は、前記スイッチ部を介して伝送された前記交流電圧を整流し、前記平滑回路は、前記整流回路の出力を平滑化する。また、前記信号生成部は、前記整流回路による整流後の電圧が有する前記切り欠きのパターンに基づいて、前記制御信号を生成してもよい。
【００１６】
本願に開示する照明システムにおいて、前記スイッチ部は、前記制御信号設定区間以外の区間において、前記交流電圧を連続的に通過させてもよい。
【００１７】
本願に開示する照明システムにおいて、前記照明制御装置は、前記交流電圧のゼロクロスを検出するゼロクロス検出部を更に備えてもよい。また、前記スイッチ部は、前記ゼロクロス検出部の検出結果に基づいて前記交流電圧の導通を制御してもよい。
【００１８】
本願に開示する照明システムにおいて、前記スイッチ部は、前記交流電圧の半波において、前記半波が始まる前記ゼロクロスから該半波の位相角度９０度未満の位置まで該半波の波形が切り欠かれるように、前記交流電圧の導通を制御してもよい。
【００１９】
本願に開示する照明システムにおいて、前記照明制御装置は、前記スイッチ部の駆動信号を生成する駆動部を更に備えてもよい。また、前記駆動部は、前記スイッチ部が連続的に前記交流電圧を通過させる間、前記交流電圧の半波ごとに、前記半波が始まる前記ゼロクロスから該半波が終わる前記ゼロクロスの手前まで前記駆動信号を生成してもよい。
【００２０】
本願に開示する照明器具は、互いに光色の異なる光を出射する複数色の照明素子を含む点灯負荷に電力を供給することにより、前記複数色の照明素子の各々から出射される光が混光されて、任意の光色の光を出射する照明器具であって、点灯電力供給部と、信号生成部とを備える。前記点灯電力供給部は、外部電源から供給される電圧の波形が、制御信号設定区間において、設定された切り欠きのパターンを有するように前記電圧の導通を制御するスイッチ部を介して伝送された前記電圧に基づいて、前記点灯負荷に前記電力を供給する。前記信号生成部は、前記切り欠きのパターンに基づいて、前記点灯電力供給部の動作を制御する制御信号を生成する。また、前記制御信号設定区間において、前記切り欠きのパターンごとに前記切り欠きの位置及び／又は数が変化する。更に、前記切り欠きのパターンは、光量を示す第１パターンと、光色を示す第２パターンとを含み、前記信号生成部は、前記第１パターンの切り欠きに対応する第１デジタル信号と、前記第２パターンの切り欠きに対応する第２デジタル信号とを発生させ、前記第１デジタル信号及び前記第２デジタル信号に基づいて前記制御信号を生成する。
【発明の効果】
【００２１】
本発明によれば、シンプルな構成で、容易に調光制御又は調光調色制御を行うことができる。
【図面の簡単な説明】
【００２２】
【図１】本発明の実施形態１に係る照明システムの要部を示すブロック図である。
【図２】本発明の実施形態に係るスイッチ部の一例を示す図である。
【図３】本発明の実施形態に係る駆動信号の一例を説明するための図である。
【図４】本発明の実施形態に係るＬＥＤの接続例を示す図である。
【図５】本発明の実施形態に係る平滑回路の一例を示す図である。
【図６】本発明の実施形態に係る定電流回路の一例の一部を示す図である。
【図７】本発明の実施形態に係る信号生成部の一例を示す図である。
【図８】本発明の実施形態に係る信号生成部の各部の信号波形の一例を示す図である。
【図９】本発明の実施形態に係る波形変換回路の出力波形の一例を示す図である。
【図１０】本発明の実施形態に係る照明システムの各部の信号波形の一例を示す図である。
【図１１】本発明の実施形態に係る照明器具の制御部が発生させるデジタル信号の一例の概要を示す図である。
【図１２】本発明の実施形態に係る照明器具の制御部が発生させるデジタル信号の一例の構成を示す図である。
【図１３】本発明の実施形態に係る制御信号の一例を示す図である。
【図１４】照明器具の制御部による信号の読み取りエラーを説明するための図である。
【図１５】本発明の実施形態に係る駆動信号の他例を説明するための図である。
【図１６】本発明の実施形態に係る照明器具の他の構成を示す図である。
【図１７】本発明の実施形態に係る信号生成部の他の構成を示す図である。
【図１８】本発明の実施形態に係る反転パルス信号の一例を説明するための図である。
【図１９】本発明の実施形態２に係る照明システムの概略構成を示す図である。
【図２０】本発明の実施形態２に係る照明器具の要部を示すブロック図である。
【図２１】本発明の実施形態２に係る照明器具に設定されるアドレスの一例を示す図である。
【図２２】本発明の実施形態３に係る照明システムの概略構成を示す図である。
【図２３】本発明の実施形態３に係るコントローラーの外観図である。
【図２４】本発明の実施形態３に係るコントローラーの他例の外観図である。
【図２５】本発明の実施形態４に係る照明システムの概略構成を示す図である。
【図２６】本発明の実施形態４に係るコントローラーの要部を示すブロック図である。
【図２７】本発明の実施形態４に係るコントローラーの外観図である。
【図２８】本発明の実施形態５に係る照明器具の要部を示すブロック図である。
【図２９】本発明の実施形態６に係る照明器具の外観図である。
【発明を実施するための形態】
【００２３】
以下、図面を参照して本発明の実施形態を説明する。ただし、本発明は以下の実施形態に限定されない。図中、同一又は相当部分については同一の参照符号を付して説明を繰り返さない。図面は、理解しやすくするために、それぞれの構成要素を主体に模式的に示している。
【００２４】
ＬＥＤ照明器具の調光方式には、例えば、位相制御方式、信号線方式、ＰＬＣ（Ｐｏｗｅｒ  Ｌｉｎｅ  Ｃｏｍｍｕｎｉｃａｔｉｏｎ）方式、無線方式がある。位相制御方式は、照明器具に供給する交流電圧の位相を調整して調光する方式である。信号線方式では、照明器具に電力を供給するための電力線に対して独立した信号線が用いられる。即ち、信号線方式は、コントローラーから照明器具へ、独立した信号線を介して調光のための制御信号を伝送して調光する方式である。ＰＬＣ方式は、コントローラーと照明器具とが接続する商用電源ラインを介して、コントローラーから照明器具へ調光のための制御信号を伝送して調光する方式である。無線方式は、コントローラーから照明器具へ、無線信号を媒体として調光のための制御信号を送信して調光する方式である。このため無線方式では、コントローラーが、無線信号を送信するための送信回路を備え、照明器具が、無線信号を受信するための受信回路を備える。
【００２５】
しかしながら、位相制御方式には、調光制御をするための専用信号線が不要であるため調光制御に適しているというメリットがある一方、交流電圧の位相を調整して１種類の制御信号を送ることしかできないため、互いに光色が異なる複数色のＬＥＤにそれぞれ異なる制御信号を送ることが困難であり、調色制御に適さないというデメリットがある。ＰＷＭ方式などの信号線方式には、コントローラーから照明器具へ確実に制御信号を伝送できるというメリットがある一方、コントローラーから照明器具へ伝送する信号の種類の数だけ配線や制御回路が必要となり、構成が複雑になるというデメリットがある。ＰＬＣ方式には、商用電源ラインに制御信号を重畳させるため、配線が少なく済むというメリットがある一方、商用電源ラインに接続された他の電気機器への電気的影響が生じ、他の電気機器において誤動作が生じる可能性があるというデメリットがある。また、ＰＬＣ方式の場合、照明器具が他の電気機器から発生するノイズの影響を受け、誤動作する可能性があるというデメリットがある。無線方式には、配線が少なく済むというメリットがある一方、制御信号の送信側に送信回路が必要であるとともに、受信側に受信回路が必要であるため、構成が複雑になるというデメリットがある。また、無線方式の場合、コントローラー（送信回路）に接続する照明器具ごとにアドレスを付与する必要がある。更に、アドレスのグルーピングなどが必要となる。よって、制御が複雑になるというデメリットがある。
【００２６】
本実施形態にかかる照明システムおよび照明器具は、上記のような従来技術に対し、配線などの接続構成がシンプルになり、かつ照明器具を容易に制御できるものである。
【００２７】
（実施形態１）
図１は本発明の実施形態１に係る照明システム１の要部を示すブロック図である。図１に示すように、照明システム１は、コントローラー（照明制御装置の一例）２と、照明器具３とを備える。コントローラー２は、商用電源５に電気的に接続され、商用電源５から給電される。照明器具３は、コントローラー２を介して商用電源５に電気的に接続され、商用電源５から給電される。
【００２８】
コントローラー２は、照明器具３から発生する光の光量及び光色（例えば、相関色温度）を制御する機器であり、コントローラー２の起動時、又は照明器具３から発生する光の光量及び光色又はそれらのうちの一方を変更する際に、電力線４ａ、４ｂを通じて、光量及び光色を設定する信号を照明器具３へ送信する。照明器具３は、コントローラー２から送信された光量及び光色を設定する信号に応じた光量及び光色の光を発生させる。
【００２９】
詳しくは、コントローラー２はスイッチ部２１を有し、コントローラー２の起動時、又は照明器具３から発生する光の光量及び光色又はそれらのうちの一方を変更する際に、商用電源５から供給される交流電圧の波形が、制御信号設定区間において、設定された切り欠きのパターンを有するように、スイッチ部２１が、商用電源５から供給される交流電圧の導通を制御する。この切り欠きのパターンを有する交流電圧が、照明器具３へ伝送される。照明器具３は、切り欠きのパターンを有する交流電圧を、光を発生させるためのエネルギー源として利用する一方で、その光の光量及び光色を、切り欠きのパターンに従う光量及び光色にする。つまり、制御信号設定区間に含まれる切り欠きのパターンが、光量及び光色を設定する信号として照明器具３へ送信される。
【００３０】
以上のように、照明器具３から発生する光の光量及び光色を設定する信号が、コントローラー２から電力線４ａ、４ｂを介して照明器具３へ送信される。したがって、制御信号を送信するための専用の信号線を敷設することなく、調光調色制御を行うことができる。
【００３１】
以下、照明システム１について、更に詳しく説明する。コントローラー２は４線式のコントローラーであり、室内の壁等に敷設される。照明器具３は、例えば、ダウンライト又は間接照明である。コントローラー２及び照明器具３はそれぞれ、電力線４ａ、４ｂを介して商用電源５に電気的に接続される。商用電源５は、電力線４ａ、４ｂを介してコントローラー２及び照明器具３に給電する。
【００３２】
コントローラー２は、スイッチ部２１と、駆動部２２と、入力部２３と、表示部２４と、第１制御部２５と備える。
【００３３】
スイッチ部２１は、電力線４ａに介装される。スイッチ部２１は、商用電源５から供給される交流電圧の波形が、制御信号設定区間において、設定された切り欠きのパターンを有するように、商用電源５から供給される交流電圧の導通を制御する。また、スイッチ部２１は、制御信号設定区間以外の区間において、交流電圧を連続的に通過させる。駆動部２２は、スイッチ部２１を駆動する駆動信号を生成する。第１制御部２５は、駆動部２２を介して、スイッチ部２１の動作を制御する。
【００３４】
スイッチ部２１に含まれるスイッチ素子は、好ましくは半導体スイッチである。本実施形態では、電源として商用電源５が使用されるため、スイッチ部２１に含まれるスイッチ素子として、半導体スイッチの一例である双方向サイリスタ（所謂トライアック）を使用することが好ましい。本実施形態では、スイッチ部２１のスイッチとして双方向サイリスタが使用される。図２はスイッチ部２１の一例を示す図である。図２に示すように、双方向サイリスタ６のゲートに駆動部２２が電気的に接続する。駆動部２２は、双方向サイリスタ６のゲートを駆動する駆動信号を発生する。詳しくは、駆動部２２は、双方向サイリスタ６をターンオンさせるパルス状の駆動信号を発生する。
【００３５】
図１に戻る。コントローラー２の入力部２３は、ユーザーインターフェースであり、例えば、複数個の押しボタンを含む。ユーザーは、入力部２３を介して、照明器具３から発生する光の光量及び光色の少なくとも一方の変更を指示することができる。ユーザーによる変更指示は、入力部２３を介して第１制御部２５に入力される。
【００３６】
第１制御部２５は、例えばマイクロコンピューターである。第１制御部２５は、ユーザーによる変更指示に従い、切り欠きのパターンを設定する。そして、第１制御部２５は、制御信号設定区間において、交流電圧の波形が、設定された切り欠きのパターンを有するように、駆動部２２を介してスイッチ部２１の動作を制御する。具体的には、第１制御部２５は、切り欠きのパターンとして、光量を示す第１パターン、及び光色を示す第２パターンを設定する。第１パターン及び第２パターンの設定は、例えば、第１制御部２５の記憶部２５ａにルックアップテーブルを記憶させておくことで実現してもよい。
【００３７】
例えば、ユーザーが光量及び光色の変更を指示した場合、第１制御部２５は、ユーザーが指示した光量及び光色をそれぞれ示す第１及び第２パターンを設定する。また、ユーザーが光量の変更のみを指示した場合、第１制御部２５は、ユーザーが指示した光量を示す第１パターンと、現在の光色を示す第２パターンとを設定する。
【００３８】
第１制御部２５は、入力部２３を介してユーザーが入力（登録）した光量及び光色の情報を記憶部２５ａに記憶させてもよい。これにより、例えばコントローラー２の電源投入時に、第１制御部２５は、記憶部２５ａに記憶された光量及び光色の情報を用いて切り欠きのパターンを設定することができる。よって、電源投入時に、ユーザーが前回登録した光量及び光色の光を再現することができる。
【００３９】
また第１制御部２５は、表示部２４を制御して、表示部２４に、ユーザーによる光量及び光色の登録を視覚的に補助する情報を表示させる。詳しくは、表示部２４は、家屋や事務所等に照明システム１が設置された直後の初期段階では、規定された光量及び光色の情報を表示する。規定された光量及び光色の情報は記憶部２５ａに記憶されており、初期段階では、この規定された光量及び光色の光が照明器具３から照射される。その後、表示部２４は、入力部２３を介して入力された変更の指示に応じた光量及び光色の情報を表示する。これにより、ユーザーは、表示部２４を見ながら、所望の光量及び光色を登録することができる。
【００４０】
また本実施形態では、電源として商用電源５が使用されるため、コントローラー２はゼロクロス検出部２６を備える。ゼロクロス検出部２６が、交流電圧波形のゼロクロスポイントを検出し、第１制御部２５は、ゼロクロス検出部２６の検出結果に基づいてスイッチ部２１の動作（双方向サイリスタ６のターンオン）を制御する。詳しくは、第１制御部２５は、ゼロクロス検出部２６の検出結果に基づいて、駆動部２２が駆動信号を発生するタイミングを制御する。
【００４１】
図３は、駆動部２２が生成する駆動信号６１の一例を示す図である。詳しくは、図３（ａ）は、スイッチ部２１を通過した交流電圧５１を示し、図３（ｂ）は駆動信号６１を示す。
【００４２】
図３に示すように、交流電圧５１の波形に切り欠き５３を形成する際、交流電圧５１の半波が始まるゼロクロスポイント５２から所定の時間遅延したタイミングＴで、駆動信号６１の生成が開始される（駆動信号６１が立ち上がる）。本実施形態では、スイッチ部２１のスイッチ素子が双方向サイリスタ６であるため、ゼロクロスポイント５２において双方向サイリスタ６が点弧されない場合、双方向サイリスタ６はゼロクロスポイント５２においてターンオフする。したがって、交流電圧５１の半波が始まるゼロクロスポイント５２から所定の時間遅延したタイミングＴで駆動信号６１を立ち上げることで、双方向サイリスタ６は、交流電圧５１の半波が始まるゼロクロスポイント５２から所定の時間遅延したタイミングＴでターンオンする。これにより、所定の幅の切り欠き５３が交流電圧５１の波形に形成される。
【００４３】
双方向サイリスタ６の点弧角は９０度未満とする。これにより、交流電圧５１の半波の波形のうち、該半波が始まるゼロクロスポイント５２から該半波の位相角度９０度未満の位置までが切り欠かれる。このように双方向サイリスタ６の点弧角を９０度未満とすることで、ノイズの発生を抑制することができる。更に好ましくは、交流電圧５１の半波が始まるゼロクロスポイント５２から２．５ｍ秒の範囲内で双方向サイリスタ６を点弧する。これにより、交流電圧５１の半波の波形のうち、該半波が始まるゼロクロスポイント５２から２．５ｍ秒以内の位置までが切り欠かれるため、照明器具３へ送る電力の損失を抑制することができる。
【００４４】
一方、スイッチ部２１が交流電圧５１の半波を導通させる際には、駆動信号６１は、該半波が開始するゼロクロスポイント５２において立ち上り、該半波が終わるゼロクロスポイント５２の手前で立ち下がる。つまり、第１制御部２５は、交流電圧５１の半波が始まるゼロクロスポイント５２から該半波が終わるゼロクロスポイント５２の手前まで駆動信号６１が生成されるように、駆動部２２を制御する。駆動信号６１を立ち下げるタイミングは、第１制御部２５が交流電圧５１の周波数を判定して決定する。
【００４５】
以上、コントローラー２について説明した。なお、コントローラー２は図示しない電源回路を備えている。該電源回路は電力線４ａ、４ｂに電気的に接続しており、コントローラー２の各部の動作に必要な電力を、電力線４ａ、４ｂを伝送される交流電圧５１に基づいて生成している。また、入力部２３はタッチパネルで形成されてもよい。タッチパネルは、表示部２４に設けられてもよい。また入力部２３は、赤外線リモートコントローラーなどから送信される赤外線を受光可能な赤外線受光部を含むことができる。この場合、赤外線リモートコントローラーなどから送信された赤外線コード信号が赤外線受光部を介して第１制御部２５に伝送される。例えば、赤外線リモートコントローラーの筐体に、光量アップボタン、光量ダウンボタン、光色アップボタン、及び光色ダウンボタンが設けられている場合、ユーザーがいずれかのボタンを１回押下する毎に、赤外線コード信号によって、ユーザーが変更を指示した光量又は光色の情報が第１制御部２５へ送られる。したがって、例えば、ユーザーが光量ダウンボタンを押下した場合、第１制御部２５は、ユーザーが指示した光量を示す第１パターンと、現在の光色を示す第２パターンとを設定する。
【００４６】
続いて、照明器具３について説明する。図１に示すように、照明器具３は、点灯電力供給部３１と信号生成部３２とを備える。点灯電力供給部３１は電力線４ａ、４ｂに電気的に接続しており、スイッチ部２１を介して伝送された交流電圧５１に基づいて、点灯負荷３４０に電力を供給する。信号生成部３２も電力線４ａ、４ｂに電気的に接続しており、スイッチ部２１を介して照明器具３へ伝送された交流電圧５１が、信号生成部３２にも伝送される。本実施形態では、点灯電力供給部３１に含まれる整流回路３１０を通過した交流電圧５１が、信号生成部３２に伝送される。したがって、信号生成部３２に伝送される電圧は、整流後の電圧である。
【００４７】
信号生成部３２は、交流電圧５１（整流後の電圧）が有する切り欠き５３のパターンに基づいて、制御信号を生成する。つまり、信号生成部３２は、交流電圧５１の波形のうちの制御信号設定区間の部分を用いて、制御信号を生成する。該制御信号は、点灯電力供給部３１による点灯負荷３４０への電力供給動作を制御するための信号である。
【００４８】
本実施形態では、点灯負荷３４０が、照明素子として、互いに光色の異なる光を出射する複数色のＬＥＤを含む。例えば照明素子として、５０００ケルビン（寒色）のＬＥＤと２７００ケルビン（暖色）のＬＥＤとを使用することができる。本実施形態では、点灯負荷３４０が２色のＬＥＤを含む。このように、互いに光色の異なるＬＥＤを使用することで、調光調色制御を実現することができる。
【００４９】
図４（ａ）及び図４（ｂ）にＬＥＤ３４１の接続例を示す。図４（ａ）及び図４（ｂ）に示すように、同色のＬＥＤ３４１が電気的に直列接続されてもよいし、電気的に並列接続されてもよい。あるいは、点灯負荷３４０は、光色ごとにＬＥＤ３４１を１個ずつ含んでもよい。複数色のＬＥＤ３４１は、平面視したときに均等に配置されることが好ましい。これにより、各光色の光が均等に混ざるため、点灯負荷３４０から発生する光の光量及び光色を高精度に調節することが可能となる。
【００５０】
図１に戻る。本実施形態では、点灯負荷３４０の照明素子がＬＥＤ３４１であるため、点灯電力供給部３１は、スイッチ部２１を介して伝送された交流電圧５１に基づいて定電流を生成する。本実施形態では、電源として商用電源５を使用しているため、点灯電力供給部３１は、整流回路３１０、平滑回路３２０、及び、各色のＬＥＤ３４１に対応してそれぞれ設けられた定電流回路３３０（第１定電流回路３３０ａ及び第２定電流回路３３０ｂ）を備える。
【００５１】
整流回路３１０は、スイッチ部２１を介して伝送された交流電圧５１を整流する。整流回路３１０は、好適には全波整流回路である。本実施形態において整流回路３１０は全波整流回路である。平滑回路３２０は、整流回路３１０の出力を平滑化する。図５に平滑回路３２０の一例を示す。図５に示すように、平滑回路３２０は、ダイオード３２１と電解コンデンサ３２２とから構成されてもよい。
【００５２】
図１に戻る。整流回路３１０及び平滑回路３２０により、スイッチ部２１を介して伝送された交流電圧５１が直流電圧に変換される。各定電流回路３３０はそれぞれ、平滑回路３２０の出力（直流電圧）に基づいて定電流を生成する。この定電流により、点灯負荷３４０（ＬＥＤ３４１）に電力が供給される。
【００５３】
図６は、定電流回路３３０の一例の一部を示す図であり、点灯負荷３４０（ＬＥＤ３４１）の周辺の回路構成を示している。図６に示すように、定電流回路３３０は、３個の抵抗器３３１、３３２、３３３、ＮｃｈＭＯＳＦＥＴ３３４、コイル３３５、ダイオード３３６、鉄心入りコイル３３７、及び電解コンデンサ３３８を含んでもよい。電解コンデンサ３３８は、平滑回路３２０の出力によって充電される。信号生成部３２からの信号に従ってＮｃｈＭＯＳＦＥＴ３３４がターンオン及びターンオフを繰り返すことにより、電解コンデンサ３３８が充電と放電とを繰り返す。これにより、ＬＥＤ３４１に定電流が流れて、ＬＥＤ３４１が発光する。
【００５４】
点灯負荷３４０から発生する光の光量及び光色の調節は、各色のＬＥＤ３４１に流れる定電流の電流値を制御することで実行される。したがって、信号生成部３２は、制御信号として、ＮｃｈＭＯＳＦＥＴ３３４のオン時間及びオフ時間を制御する信号を生成する。
【００５５】
図７は、信号生成部３２の一例を示す図であり、図８は、図７に示す信号生成部３２の各部で発生する信号の波形を示す。ＮｃｈＭＯＳＦＥＴ３３４（スイッチ素子の一例）のオン時間及びオフ時間を制御する場合、信号生成部３２は、図７に示すような回路構成であってもよい。図７に示す信号生成部３２は、波形変換回路７０と、第２制御部７５とを備える。なお、図７に示すように、第２制御部７５には電源電圧Ｖｃｃが供給されている。電源電圧Ｖｃｃは、コントローラー２と同様に照明器具３に設けられた電源回路（図示せず）によって生成される。
【００５６】
波形変換回路７０は、整流回路３１０の出力（整流後の電圧）を閾値と比較して、パルス信号を生成する。波形変換回路７０は、３個の抵抗器７１、７２、７３、及びバイポーラ型トランジスタ７４を備えてもよい。抵抗器７１、７２は、整流後の電圧を分圧する分圧回路を構成する。この分圧回路の出力電圧がバイポーラ型トランジスタ７４のベースに印加される。
【００５７】
図８（ａ）は、バイポーラ型トランジスタ７４のベースに印加される電圧８１（分圧回路の出力電圧）の波形の一例を示す。分圧回路の出力電圧８１は、切り欠き５３を含む。バイポーラ型トランジスタ７４は、そのベースの閾値と分圧回路の出力電圧８１との大小関係に応じて、ターンオン及びターンオフを繰り返す。これにより、バイポーラ型トランジスタ７４のコレクタと抵抗器７３との接続点に、図８（ｂ）に示すパルス信号８３が発生する。図８（ｂ）は、パルス信号８３の一例を示す。なお、抵抗器７３はプルアップ抵抗である。
【００５８】
図８（ａ）及び図８（ｂ）に示すように、交流電圧５１のゼロクロスポイント５２に対応する位置８２付近において、分圧回路の出力電圧８１がベース閾値を下回り、パルス信号８３はＬレベルとなる。詳しくは、パルス信号８３は、切り欠き５３の有無に応じた幅を有する２種類のＬレベルを含む。これは、切り欠き５３が形成されている箇所では、分圧回路の出力電圧８１がベース閾値を下回る時間が、切り欠き５３が形成されていない箇所と比べて長くなるためである。つまり、切り欠き５３が形成されていない箇所では、第１の幅を有する第１Ｌレベル８３ａが発生し、切り欠き５３が形成されている箇所では、第１の幅よりも長い第２の幅を有する第２Ｌレベル８３ｂが発生する。このようにして生成されたパルス信号８３が、第２制御部７５に伝送される。
【００５９】
第２制御部７５は、例えばマイクロコンピューターである。第２制御部７５には、バイポーラ型トランジスタ７４のコレクタと抵抗器７３との接続点から電圧が印加される。即ち、パルス信号８３が第２制御部７５に伝送される。第２制御部７５は、パルス信号８３に含まれる２種類のＬレベル（第１Ｌレベル８３ａ及び第２Ｌレベル８３ｂ）に従って、デジタル信号を発生させる。
【００６０】
具体的には、第２制御部７５は、パルス信号８３を閾値と比較して、Ｌレベルの幅を判断する。そして、第２制御部７５は、Ｌレベルの幅に基づいて、該Ｌレベルが第１Ｌレベル８３ａであるのか第２Ｌレベル８３ｂであるのかを判定し、第１Ｌレベル８３ａに対応して値が「０」となり、第２Ｌレベル８３ｂに対応して値が「１」となるデジタル信号を発生させる。つまり、制御信号設定区間に含まれる交流電圧５１の半波の全部又は一部の波形が切り欠き５３を有するように、コントローラー２（スイッチ部２１）が交流電圧５１の導通を制御することで、交流電圧５１の半波単位で１ビット分のデータに相当する信号が照明器具３に送信される。ここで、第２制御部７５は、例えば数１００μ秒毎にパルス信号８３を閾値と比較し、パルス信号８３のＬレベルの幅を判断している。このようにパルス信号８３が閾値と細かく比較されることで、パルス信号８３に含まれるノイズの影響を抑制することができる。
【００６１】
好ましくは、第２制御部７５は、第２Ｌレベル８３ｂが検出されるまで、時間的に隣接するＬレベルの幅の比を求めて、Ｌレベルが第１Ｌレベル８３ａであるのか第２Ｌレベル８３ｂであるのかを判定する。つまり、あるＬレベルの幅の比の値は、時間的に一つ前のＬレベルの幅に対する比の値である。詳しくは、第２制御部７５は、求めたＬレベルの幅の比の値が、規定された第１範囲内の値であるとき、そのＬレベルが第１Ｌレベル８３ａであると判定する。一方、第２制御部７５は、求めたＬレベルの幅の比の値が、規定された第２範囲内の値であるとき、そのＬレベルが第２Ｌレベル８３ｂであると判定する。第１範囲は、第２範囲よりも狭く設定されている。そして、第２制御部７５は、第２Ｌレベル８３ｂが検出された後は、第１Ｌレベル８３ａが検出されるまで、Ｌレベルの幅の比の値として、第２Ｌレベル８３ｂの前のＬレベル（第１Ｌレベル８３ａ）の幅に対する比の値を求める。なお、第２制御部７５は、求めたＬレベルの幅の比の値が「１」であるとき、そのＬレベルが第１Ｌレベル８３ａであると判定してもよい。
【００６２】
このようにＬレベルの幅の比の値を求める場合、好ましくは、コントローラー２は、電源投入直後は交流電圧５１の波形に切り欠き５３を形成せずに、パルス信号８３に複数回連続して第１Ｌレベル８３ａが発生するようにする。また、１つの制御信号設定区間が終了した後、コントローラー２は、交流電圧５１の波形に切り欠き５３を形成せずに、パルス信号８３に複数回連続して第１Ｌレベル８３ａが発生するようにする。
【００６３】
以上のようにＬレベルの幅の比の値を求めることで、温度上昇に起因してＬレベルの幅が変化しても、第２制御部７５はパルス信号８３（切り欠き５３のパターン）を読み取ることができる。図９（ａ）は、通常状態のパルス信号８３の波形の一例を示す。図９（ａ）に示すように、通常、第１Ｌレベル８３ａの幅Ｗ１及び第２Ｌレベル８３ｂの幅Ｗ２は一定である。一方、図９（ｂ）に２点鎖線で示すように、温度上昇に起因してパルス信号８３の立下りが鈍化して、第１Ｌレベル８３ａの幅Ｗ１及び第２Ｌレベル８３ｂの幅Ｗ２が変化することがある。このため、第２制御部７５が判断した第１Ｌレベル８３ａの幅Ｗ１及び第２Ｌレベル８３ｂの幅Ｗ２をそれぞれ固定値と比較して、Ｌレベルが第１Ｌレベル８３ａであるのか第２Ｌレベル８３ｂであるのかを判定する場合、温度上昇に起因してパルス信号８３の波形幅が変化すると、第２制御部７５はパルス信号８３を読み取ることができなくなる可能性がある。これに対し、温度上昇に起因してパルス信号８３の立下りが鈍化しても、各Ｌレベルの幅の変化は略同程度であるため、Ｌレベルの幅の比の値を求めることで、パルス信号８３を読み取ることができる。
【００６４】
第２制御部７５は、デジタル信号を発生させると、そのデジタル信号の内容（データ）に基づいて、各定電流回路３３０（第１定電流回路３３０ａ及び第２定電流回路３３０ｂ）に含まれる各ＮｃｈＭＯＳＦＥＴ３３４のオン時間及びオフ時間を制御する信号（制御信号）をそれぞれ生成する。具体的には、制御信号はパルス電圧であり、デジタル信号の内容に応じて、各定電流回路３３０ａ、３３０ｂへ伝送されるパルス電圧のパルス幅が決まる。したがって、各定電流回路３３０ａ、３３０ｂに含まれるＬＥＤ３４１に流れる定電流の電流値は、デジタル信号の内容に応じた値、即ち切り欠き５３のパターンに応じた値となる。パルス電圧のパルス幅の設定は、例えば、第２制御部７５の記憶部７５ａにルックアップテーブルを記憶させておくことで実現してもよい。
【００６５】
続いて、図１〜図１３を参照して、点灯負荷３４０の光量及び光色の少なくとも一方が変更される際の照明システム１の動作を説明する。図１０〜図１２は、照明システム１の各部の信号波形を示す。
【００６６】
電力線４ａ、４ｂには、商用電源５から、図１０（ａ）に示す正弦波状の交流電圧５１が供給されている。第１制御部２５は、点灯負荷３４０から発生する光の光量及び光色の少なくとも一方を変更する指示が入力部２３を介して入力されると、変更の指示に応じてスイッチ部２１の動作を制御する。これにより、スイッチ部２１は、交流電圧５１の波形が、制御信号設定区間において、設定された切り欠き５３のパターンを有するように、交流電圧５１の導通を制御する。また、第１制御部２５は、制御信号設定区間以外の区間において、交流電圧５１がスイッチ部２１を連続的に通過するように、スイッチ部２１の動作を制御する。
【００６７】
本実施形態では、切り欠き５３のパターンが、光量を示す第１パターンと、光色を示す第２パターンとを含むように、スイッチ部２１が交流電圧５１の導通を制御する。詳しくは、スイッチ部２１は、交流電圧５１の波形が、連続して複数の第１パターンの切り欠き５３を有するように、交流電圧５１の導通を制御した後、交流電圧５１の波形が、連続して複数の第２パターンの切り欠き５３を有するように、交流電圧５１の導通を制御する。ここでは、交流電圧５１の波形が、第１パターンで連続して２回切り欠かれた後に、第２パターンで連続して２回切り欠かれる場合について説明する。
【００６８】
図１０（ｂ）は、スイッチ部２１を通過した交流電圧５１の波形の一例を示す。スイッチ部２１が交流電圧５１を一時的に遮断することにより、図１０（ｂ）に示すように、交流電圧５１の波形に切り欠き５３が形成される。そして、切り欠き５３を有する交流電圧５１が、照明器具３の整流回路３１０へ伝送される。
【００６９】
整流回路３１０は、スイッチ部２１を介して伝送された交流電圧５１を整流する。図１０（ｃ）は、整流回路３１０の出力（整流後の電圧８１）の一例を示す。平滑回路３２０は、整流回路３１０の出力を平滑化する。図１０（ｄ）は、平滑回路３２０の出力の一例を示す。図１０（ｄ）に示すように、平滑回路３２０により直流電圧１０１が得られる。したがって、平滑回路３２０から各定電流回路３３０へ直流電圧１０１が供給される。
【００７０】
一方、信号生成部３２には、整流回路３１０による整流後の電圧８１が伝送される。信号生成部３２は、電圧８１が有する切り欠き５３のパターンに基づいて、各色のＬＥＤ３４１ごとに制御信号を変更する。本実施形態では、波形変換回路７０が、切り欠き５３のパターンに応じたパルス信号８３（図８参照）を発生させる。そして、第２制御部７５が、パルス信号８３に含まれる２種類のＬレベル（第１Ｌレベル８３ａ及び第２Ｌレベル８３ｂ）に従い、デジタル信号を発生させる。詳しくは、第２制御部７５は、図１１に示すように、第１パターンの切り欠き５３に対応する第１デジタル信号（光量データコード１１１）を連続して２回発生させ、次いで、第２パターンの切り欠き５３に対応する第２デジタル信号（光色データコード１１２）を連続して２回発生させる。
【００７１】
第２制御部７５は、２つの光量データコード１１１が同一であるか否かに応じて、点灯負荷３４０から発生する光の光量の調節の有効無効を判定する。同様に、第２制御部７５は、２つの光色データコード１１２が同一であるか否かに応じて、点灯負荷３４０から発生する光の光色の調節の有効無効を判定する。そして、第２制御部７５は、光量の調節及び光色の調節のそれぞれの有効無効の判定結果に応じた制御信号を生成する。
【００７２】
具体的には、２つの光量データコード１１１が同一であり、２つの光色データコード１１２が同一である場合、第２制御部７５は、光量データコード１１１及び光色データコード１１２に基づいて、各定電流回路３３０の動作を制御する制御信号（パルス電圧）をそれぞれ生成する。つまり、第２制御部７５は、各定電流回路３３０（第１定電流回路３３０ａ及び第２定電流回路３３０ｂ）へ伝送するパルス電圧のパルス幅を決定する。そして、第２制御部７５は、次にコントローラー２が交流電圧５１の波形に切り欠き５３を形成するまで、決定されたパルス幅を有する各パルス電圧を、対応する定電流回路３３０へそれぞれ送信する。これにより、制御信号設定区間に含まれる切り欠き５３のパターンに応じて、各定電流回路３３０へ送信される制御信号のうちの少なくとも一方が変更される。この制御信号は、点灯負荷３４０の光量及び光色をそれぞれ光量データコード１１１及び光色データコード１１２に応じたレベルにする信号である。また第２制御部７５は、光量データコード１１１及び光色データコード１１２を記憶部７５ａに記憶させる。
【００７３】
一方、２つの光量データコード１１１は同一であるが、２つの光色データコード１１２が一致しなかった場合、第２制御部７５は、今回発生させた光量データコード１１１と記憶部７５ａに記憶されている光色データコード１１２とに基づいて、各定電流回路３３０へ伝送するパルス電圧のパルス幅を決定する。２つの光量データコード１１１が不一致であり、２つの光色データコード１１２が一致した場合も同様にパルス電圧のパルス幅が決定される。また、２つの光量データコード１１１と２つの光色データコード１１２とがいずれも不一致であった場合、第２制御部７５は、制御信号の変更を行わない。
【００７４】
図１２は、信号生成部３２（第２制御部７５）が、制御信号設定区間に含まれる切り欠き５３のパターンに対応して発生させるデジタル信号の一例を示す。図１２は、デジタル信号を模式的に表した図であり、各光量データコード１１１及び各光色データコード１１２に含まれる「０」及び「１」の数値はデジタル信号の値を示す。図１２に示すように、本実施形態では、光量データコード１１１及び光色データコード１１２のビット数はいずれも６ビットである。つまり、スイッチ部２１は、交流電圧５１の連続する２４個の半波の全部又は一部の波形が切り欠き５３を有するように、交流電圧５１の導通を制御することで、信号生成部３２に光量データコード１１１及び光色データコード１１２をそれぞれ２回発生させる。このように、制御信号設定間は、交流電圧５１の半波の数によって規定される。
【００７５】
また、各光量データコード１１１及び各光色データコード１１２のそれぞれの先頭の値は「１」となる。これにより、第２制御部７５が、各光量データコード１１１及び各光色データコード１１２のそれぞれの先頭を確実に検出できるようになる。また、コントローラー２（第１制御部２５）は、交流電圧５１の半波のうち、コントローラー２の起動直後及び制御信号設定区間終了直後の５つの半波の波形に切り欠き５３を形成しない仕様となっている。照明器具３の制御部７５は、デジタル信号の値が５ビット以上連続して「０」となったとき、待機モードに遷移する。待機モードに遷移した第２制御部７５は、デジタル信号の値が「１」となったとき、制御信号設定区間が開始されたと判断する。つまり、５ビット以上連続する「０」は、制御信号設定区間の開始を予告する。
【００７６】
図１３（ａ）は第１定電流回路３３０ａへ伝送される制御信号１２１ａの一例を示し、図１３（ｂ）は第２定電流回路３３０ｂへ伝送される制御信号１２１ｂの一例を示している。図１３（ａ）及び図１３（ｂ）に示すように、制御信号１２１ａ、１２１ｂは、切り欠き５３のパターンに基づいてパルス幅が調整されたパルス電圧である。図１３（ａ）及び図１３（ｂ）に示す例では、時刻ｔ１において、制御信号１２１ａ、１２１ｂのパルス幅が変化している。このパルス幅の変化により、点灯負荷３４０から発生する光の光量及び光色が、入力部２３を介して入力された変更の指示に応じた光量及び光色に調節される。
【００７７】
具体的には、制御信号１２１ａ、１２１ｂによって、各色のＬＥＤ３４１に流れる電流の割合が制御されて、点灯負荷３４０から発生する光（混光）の光色が調節される。また、制御信号１２１ａ、１２１ｂによって、各色のＬＥＤ３４１に流れる電流の合計値が制御されて、点灯負荷３４０から発生する光（混光）の光量が調節される。つまり、信号生成部３２は、２色のＬＥＤ３４１に流れる電流の割合、及び２色のＬＥＤ３４１に流れる電流の合計値を制御して、調光調色制御を実行している。このように、信号生成部３２は、各色のＬＥＤ３４１に供給される電力を個別に制御して、点灯負荷３４０から発生する光の光量及び光色を、切り欠き５３のパターンに応じた光量及び光色にする。
【００７８】
なお、コントローラー２の起動時には、コントローラー２（第１制御部２５）は、記憶部２５ａに記憶された光量及び光色の情報を用いて切り欠き５３のパターンを設定する。そして、コントローラー２は、少なくとも交流電圧５１の５つの連続する半波が、切り欠かれることなくそのままスイッチ部２１を通過した後に、交流電圧５１の波形が、設定された切り欠き５３のパターンを有するように、スイッチ部２１の動作を制御する。コントローラー２の起動時に使用される光量及び光色の情報の内容は規定値であってもよいし、ユーザーが記憶部２５ａに記憶させた値であってもよい。
【００７９】
また、記憶部２５ａに、時刻に合わせた光量及び光色の情報を記憶させておき、コントローラー２の起動時に、コントローラー２が、現在の時刻に対応する光量及び光色の情報を用いて切り欠き５３のパターンを設定してもよい。これにより、時刻に合った光量及び光色の光を発生させることができる。更に、コントローラー２は、照明器具３の点灯中に、現在の時刻に対応する光量及び光色の情報を用いて切り欠き５３のパターンを設定してもよい。これにより、時刻の変化に応じて自動的に光量及び光色を変化させることができる。
【００８０】
以上のように本実施形態によれば、点灯負荷３４０から発生する光の光量及び光色を設定する信号が、コントローラー２から電力線４ａ、４ｂを介して照明器具３へ送られる。したがって、専用の信号線を敷設することなく、調光調色制御を行うことができる。
【００８１】
更に本実施形態によれば、ノイズの発生を抑制することができる。例えば位相調光方式では、交流電圧のサインカーブの頂点で双方向サイリスタがＯＮすることがあり、この際に大きなノイズ（電磁波）が発生するという問題があった。これに対し、本実施形態によれば、交流電圧５１の半波のうち、該半波が始まるゼロクロスポイント５２から、該半波の位相角度９０度未満の位置までの範囲内で、双方向サイリスタ６がターンオンする。よって、位相調光方式のように大きなノイズが発生することがない。また、好ましくは、交流電圧５１の半波が始まるゼロクロスポイント５２から２．５ｍ秒の範囲内で双方向サイリスタ６をターンオンさせることで、ノイズの発生をより一層抑制することができるとともに、照明器具３へ送る電力の損失を抑制することができる。
【００８２】
また、本実施形態によれば、交流電圧５１の波形は、制御信号設定区間においてのみ切り欠き５３のパターンを有し、制御信号設定区間以外の区間においては、交流電圧５１はスイッチ部２１を連続的に通過する。これにより、照明器具３へ送る電力の損失を抑制することができる。
【００８３】
なお、スイッチ部２１は、交流電圧５１の波形が、切り欠き５３のパターンを一定時間間隔で繰り返し有するように、交流電圧５１の導通を制御してもよい。これにより、第２制御部７５が読み取りエラーを起こすおそれが抑制される。切り欠き５３のパターンの繰り返し間隔は、一定時間間隔に限らず、変動する時間間隔であってもよい。
【００８４】
また、第１Ｌレベル８３ａに対応して「０」となり、第２Ｌレベル８３ｂに対応して「１」となるデジタル信号を発生させる場合について説明したが、第１Ｌレベル８３ａに対応して「１」となり、第２Ｌレベル８３ｂに対応して「０」となるデジタル信号を発生させてもよい。
【００８５】
また、光量データコード１１１及び光色データコード１１２のビット数はいずれも６ビットであったが、光量データコード１１１及び光色データコード１１２のビット数は、照明器具３において設定可能な光量及び光色の全てのレベルを示すことが可能である限り、特に限定されるものではない。但し、ビット数が少ないほど、照明器具３へ送ることができる電力量を多くすることができ、商用電源５から供給される電力を有効に活用することができる。また、ビット数が少ないほど、照明器具３への光量及び光色の情報の伝達速度を速くすることができる。
【００８６】
また、第２制御部７５は、デジタル信号の値が５ビット以上連続して「０」となったとき、待機モードに遷移したが、第２制御部７５を待機モードに遷移させるデジタル信号の値は、５ビット以上連続する「０」に限定されるものではない。例えば、制御信号設定区間の開始を予告するために、特定のパターンの切り欠き５３が交流電圧５１に形成されてもよい。
【００８７】
また、交流電圧５１の波形が連続して複数の第１パターンの切り欠き５３を有するように、交流電圧５１の導通が制御された後、交流電圧５１の波形が連続して複数の第２パターンの切り欠き５３を有するように、交流電圧５１の導通が制御されたが、スイッチ部２１は、第１パターンの切り欠き５３と第２パターンの切り欠き５３とをそれぞれ１回ずつ交流電圧５１の波形に形成してもよい。
【００８８】
続いて、コントローラー２の駆動部２２が発生する駆動信号６１の他例について、図１４及び図１５を参照して説明する。図１４（ａ）及び図１４（ｂ）に示すように、交流電圧５１の半波が終わるゼロクロスポイント５２の手前で駆動信号６１が立ち下がる場合、交流電圧５１の半波の終りの部分に、意図しない切り欠き５４が発生することがある。切り欠き５４は、交流電圧５１の半波の終りの部分において電力が急激に小さくなることに起因して、双方向サイリスタ６が自動的にターンオフすることによって発生する。
【００８９】
切り欠き５４が発生すると、図１４（ｃ）に示すように、第２制御部７５（照明器具３の制御部）に送信されるパルス信号８３に、第３Ｌレベル８３ｃが発生する。第３Ｌレベル８３ｃは、第１Ｌレベル８３ａよりも幅が広いため、第２制御部７５は、第３Ｌレベル８３ｃ（切り欠き５４）に対応して値が「１」となるデジタル信号を発生させる可能性がある。
【００９０】
そこで、図１５（ａ）及び図１５（ｂ）に示すように、第１制御部２５（コントローラー２の制御部）は、スイッチ部２１が交流電圧５１を連続して通過させる間、交流電圧５１の半波のうちの切り欠き５３を形成する対象の半波の手前まで、駆動信号６１が継続して生成されるように、駆動部２２を制御する。このようにすれば、図１５（ａ）に示すように、交流電圧５１に切り欠き５４が形成されないため、図１５（ｃ）に示すように、第３Ｌレベル８３ｃが発生しない。したがって、第２制御部７５が読み取りエラーを起こすおそれが抑制される。
【００９１】
続いて、照明器具３の他の構成について説明する。図１６は、照明器具３の他の構成を示す。図１６に示すように、照明器具３は、点灯電力供給部３１（整流回路３１０）に供給される前の交流電圧５１を整流する整流回路３３を更に備えてもよい。この場合、図１に示す照明器具３と異なり、信号生成部３２には、整流回路３３によって整流された電圧が供給される。したがって、信号生成部３２は、整流回路３３による整流後の電圧の波形が有する切り欠き５３のパターンに基づいて、制御信号１２１ａ、１２１ｂを生成する。整流回路３３は、図１６に示すように、電力線４ａ、４ｂにそれぞれ接続されるダイオード１６１、１６２を備えてもよい。斯かる構成によれば、信号生成部３２が切り欠き５３をより確実に検出することができる。
【００９２】
続いて、信号生成部３２の他の構成について説明する。図１７は、信号生成部３２の他の構成を示す。図１７（ａ）に示すように、波形変換回路７０の後段に反転回路７６を設けてもよい。図１７（ｂ）に示すように、反転回路７６は、バイポーラ型トランジスタ７７と抵抗器７８とを備えてもよい。この場合、バイポーラ型トランジスタ７７のベースにパルス信号８３が送信され、バイポーラ型トランジスタ７７のコレクタと抵抗器７８との接続点から、反転されたパルス信号８３が第２制御部７５に送信される。なお、抵抗器７８はプルアップ抵抗である。以下、反転回路７６によって反転されたパルス信号８３を「反転パルス信号８４」と記載する。
【００９３】
第２制御部７５は、反転パルス信号８４を閾値と比較して、Ｈレベルの幅を判断する。そして、第２制御部７５は、Ｈレベルの幅に基づいて、該Ｈレベルが、第１Ｌレベル８３ａを反転させたＨレベルであるのか、第２Ｌレベル８３ｂを反転させたＨレベルであるのかを判定する。そして、第２制御部７５は、第１Ｌレベル８３ａを反転させたＨレベルに対応して値が「０」となり、第２Ｌレベル８３ｂを反転させたＨレベルに対応して値が「１」となるデジタル信号を発生させる。
【００９４】
図１８（ａ）は、通常状態のパルス信号８３の一例を示す。図１８（ａ）に示すように、通常、第１Ｌレベル８３ａの幅Ｗ１及び第２Ｌレベル８３ｂの幅Ｗ２は一定である。一方、図１８（ｂ）に２点鎖線で示すように、温度上昇に起因してパルス信号８３の立下りが鈍化して、第１Ｌレベル８３ａの幅Ｗ１及び第２Ｌレベル８３ｂの幅Ｗ２が変化することがある。波形が変化したパルス信号８３が第２制御部７５に送信されると、閾値との関係で、第２制御部７５が検出するＬレベルの幅が変化する。
【００９５】
図１８（ｃ）は、反転パルス信号８４の一例を示す。図１８（ｂ）及び図１８（ｃ）に示すように、パルス信号８３の立下りが鈍化すると、反転パルス信号８４の立ち上がりが鈍化する。しかし、波形が変化した反転パルス信号８４が第２制御部７５に送信されても、閾値との関係で、第２制御部７５が検出するＬレベルの幅は略一定又は一定となる。
【００９６】
したがって、反転回路７６を設けることで、温度上昇に起因してパルス信号８３の波形が変化しても、第２制御部７５は、反転パルス信号８４に含まれるＨレベルの幅の比を求めることなく、切り欠き５３のパターンを読み取ることができる。
【００９７】
（実施形態２）
以下、本発明の実施形態２について、図１９〜図２１を参照して説明する。図１９は、実施形態２に係る照明システム１の概略構成を示す。図１９に示すように、実施形態２に係る照明システム１は、複数の照明器具３ａを備える点で、実施形態１と異なる。
【００９８】
図２０は、実施形態２に係る照明器具３ａの要部を示すブロック図である。照明器具３ａは、出力端子３５ａ、３５ｂを備える点で、実施形態１の照明器具３と異なる。出力端子３５ａ、３５ｂは、配線４２ａ、４２ｂを介して、入力端子３４ａ、３４ｂと電気的に接続している。
【００９９】
入力端子３４ａ、３４ｂは、送り線４１ａ、４１ｂを介して、前段のコントローラー２の出力端子又は前段の照明器具３ａの出力端子３５ａ、３５ｂと電気的に接続している。コントローラー２の出力端子の一方は、スイッチ部２１を介して電力線４ａと接続し、コントローラー２の出力端子の他方は、電力線４ｂと接続している（図１参照）。
【０１００】
したがって、図１９に示す照明システム１において、各照明器具３ａは、コントローラー２を介して、電力線４ａ、４ｂに対して並列接続されており、各照明器具３から発生する光の光量及び光色を設定する信号（切り欠き５３のパターンを有する交流電圧５１の波形）が、コントローラー２から送り線４１ａ、４１ｂを介して各照明器具３へ一括して送信される。
【０１０１】
以上のように、本実施形態によれば、制御用の信号線を敷設することなく、１台のコントローラー２によって、複数の照明器具３ａから発生する光の光量及び光色を一括して制御することができる。
【０１０２】
なお、図２１に示すように、各照明器具３ａにそれぞれ固有のアドレス（宛先）が設定されてもよい。アドレスは、例えば、各照明器具３ａに設けたディップスイッチによって設定することができる。この場合、コントローラー２は、切り欠き５３のパターンに、制御対象の照明器具３ａのアドレスを示す切り欠き５３のパターンを含ませる。複数の照明器具３ａの各々の信号生成部３２は、切り欠き５３のパターンが自己のアドレスと同一のアドレスを示すパターンを含む場合に、該切り欠き５３のパターンに基づいて、制御信号１２１ａ、１２１ｂを生成する。このように各照明器具３ａにそれぞれ固有のアドレスを設定することで、各照明器具３ａから発生する光の光量及び光色を個別に制御することができる。
【０１０３】
（実施形態３）
以下、本発明の実施形態３について、図２２、図２３、及び図２４を参照して説明する。実施形態３は、コントローラー２ａが表示部２４を備えない点で、他の実施形態と異なる。
【０１０４】
図２２は、実施形態３に係る照明システム１の概略構成を示す。図２２に示すように、実施形態２と同様に、照明システム１が複数の照明器具３ａを備える。図２３は、実施形態３に係るコントローラー２ａの外観図である。
【０１０５】
図２３に示すように、コントローラー２ａは、１個用スイッチボックス型の筐体２００を備える。筐体２００には、入力部２３として、光量アップボタン２０１、光量ダウンボタン２０２、光色アップボタン２０３、光色ダウンボタン２０４、全灯ボタン２０５、及び電源入り切りボタン２０６が設けられている。
【０１０６】
第１制御部２５（コントローラー２ａの制御部）は、ユーザーによる入力部２３の操作に応じて、スイッチ部２１（図１参照）の動作を制御する。即ち、双方向サイリスタ６（図２参照）のターンオンが、各種のボタン２０１〜２０６の操作に応じて制御される。
【０１０７】
例えば、光量アップボタン２０１が１回押下されると、第１制御部２５は、各照明器具３ａ（点灯負荷３４０）から発生する光の光量を１段階上げる切り欠き５３のパターンを交流電圧５１の波形が有するにように、スイッチ部２１の動作を制御する。
【０１０８】
また、第１制御部２５は、全灯ボタン２０５が押される毎に、各照明器具３ａから発生する光の光色が、寒色、中間色、暖色の順に切り替わるように、スイッチ部２１の動作を制御する。
【０１０９】
例えば、全灯ボタン２０５が１回押下されると、第１制御部２５は、各照明器具３ａから発生する光の光色を光量が一番高い状態で寒色にする切り欠き５３のパターンを交流電圧５１の波形が有するにように、スイッチ部２１の動作を制御する。
【０１１０】
また、全灯ボタン２０５が２回押下されると、第１制御部２５は、各照明器具３ａから発生する光の光色を光量が一番高い状態で中間色にする切り欠き５３のパターンを交流電圧５１の波形が有するように、スイッチ部２１の動作を制御する。
【０１１１】
また、全灯ボタン２０５が３回押下されると、第１制御部２５は、各照明器具３ａから発生する光の光色を光量が一番高い状態で暖色にする切り欠き５３のパターンを交流電圧５１の波形が有するように、スイッチ部２１の動作を制御する。
【０１１２】
電源入り切りボタン２０６（主電源ボタン）は、コントローラー２の起動及び停止を指示するためのボタンである。即ち、各照明器具３ａが消灯している状態で電源入り切りボタン２０６が押下されると、第１制御部２５は、記憶部２５ａ（図１参照）に記憶されている光量及び光色の情報を用いて切り欠き５３のパターンを設定する。一方、各照明器具３ａが点灯している状態で電源入り切りボタン２０６が押下されると、第１制御部２５は、駆動部２２に、双方向サイリスタ６をオフ状態にする駆動信号６１を発生させて、交流電圧５１がスイッチ部２１を導通しないようにする。
【０１１３】
また、第１制御部２５は、光量アップボタン２０１、光量ダウンボタン２０２、光色アップボタン２０３、及び光色ダウンボタン２０４のうちの少なくとも１つが押下されて、光量及び光色が設定された後、全灯ボタン２０５が所定時間以上押されると、光量及び光色の情報を記憶部２５ａに記憶させる。そして、第１制御部２５は、光量アップボタン２０１、光量ダウンボタン２０２、光色アップボタン２０３、及び光色ダウンボタン２０４が押される前に、全灯ボタン２０５が所定時間以上押されると、記憶部２５ａに記憶されている光量及び光色の情報に応じて、切り欠き５３のパターンを設定する。
【０１１４】
続いて、コントローラー２ａの他例について説明する。図２４は、コントローラー２ａの他例の外観図である。詳しくは、図２４（ａ）は、コントローラー２ａの他例の正面図であり、図２４（ｂ）は、コントローラー２ａの他例の側面図である。
【０１１５】
図２３に示すコントローラー２ａと同様に、図２４に示すコントローラー２ａは、１個用スイッチボックス型の筐体２００ａを備える。筐体２００ａには、入力部２３として、第１ダイヤル２０７及び第２ダイヤル２０８が設けられている。ここでは、第１ダイヤル２０７は、光量の調節のために使用され、第２ダイヤル２０８は、光色の調整のために使用される。更に、第１ダイヤル２０７には、各照明器具３ａ（点灯負荷３４０）を全灯状態にするためのプッシュスイッチが内蔵されている。
【０１１６】
第１制御部２５（コントローラー２ａの制御部）は、ユーザーによる第１ダイヤル２０７及び第２ダイヤル２０８の操作に応じて、スイッチ部２１（図１参照）の動作を制御する。即ち、双方向サイリスタ６（図２参照）のターンオンが、第１ダイヤル２０７及び第２ダイヤル２０８の操作に応じて制御される。
【０１１７】
具体的には、ユーザーが、図２４（ａ）に示す矢印方向へ第１ダイヤル２０７を回転させると、第１ダイヤル２０７の回転位置に応じた光量の光が各照明器具３ａから発生するように、第１制御部２５がスイッチ部２１の動作を制御する。
【０１１８】
また、ユーザーが、図２４（ａ）に示す矢印方向へ第２ダイヤル２０８を回転させると、第２ダイヤル２０８の回転位置に応じた光色の光が各照明器具３ａから発生するように、第１制御部２５がスイッチ部２１の動作を制御する。
【０１１９】
また、ユーザーが、図２４（ｂ）に示す矢印方向へ第１ダイヤル２０７を押すと、各照明器具３ａが全灯状態となるように、第１制御部２５がスイッチ部２１の動作を制御する。
【０１２０】
なお、図２３に示すコントローラー２ａと同様に、第１ダイヤル２０７が押下されるごとに、各照明器具３ａから発生する光の光色が、寒色、中間色、暖色の順に切り替わるように、第１制御部２５がスイッチ部２１の動作を制御してもよい。また、第１ダイヤル２０７が光量の調節のために使用され、第２ダイヤル２０８が光色の調整のために使用されたが、第１ダイヤル２０７が光色の調節のために使用され、第２ダイヤル２０８が光量の調整のために使用されてもよい。
【０１２１】
本実施形態によれば、１台のコントローラー２によって、複数の照明器具３ａから発生する光の光量及び光色を一括して制御することができるため、コントローラー２の筐体２００として、１個用スイッチボックス型を使用することができる。したがって、コントローラー２のコンパクト化を実現することができる。
【０１２２】
また、１個のボタン（全灯ボタン２０５）の操作によって、各照明器具３ａから発生する光の光量及び光色として、ユーザーが希望する光量及び光色の情報を一つ記憶させ、かつ、ユーザーが希望する光量及び光色の光を再現することができる。
【０１２３】
（実施形態４）
以下、本発明の実施形態４について、図２５〜２７を参照して説明する。実施形態４は、照明システム１が３系統３００ａ、３００ｂ、３００ｃの照明器具群を備える点で、他の実施形態と異なる。
【０１２４】
図２５は、実施形態４に係る照明システム１の概略構成を示す。図２５に示すように、照明システム１は、３系統３００ａ、３００ｂ、３００ｃの照明器具群を備える。各系統３００ａ、３００ｂ、３００ｃの照明器具群はそれぞれ、複数の照明器具３ａを含む。詳しくは、図２５に示す照明システム１において、各照明器具３ａは、コントローラー２ｂを介して、電力線４ａ、４ｂに対して並列接続されており、コントローラー２ｂは、各系統３００ａ、３００ｂ、３００ｃごとに、照明器具群を一括して制御することができる。
【０１２５】
図２６は、実施形態４に係るコントローラー２ｂの要部を示すブロック図である。コントローラー２ｂは、３つのスイッチ部２１ａ、２１ｂ、２１ｃ、３つの駆動部２２ａ、２２ｂ、２２ｃ、並びに４つの出力端子２８ａ、２８ｂ、２８ｃ、２８ｄを備える点で、実施形態１のコントローラー２と異なる。
【０１２６】
第１出力端子２８ａは、配線２９ａを介して、電力線４ａが接続する入力端子２７ａに電気的に接続されている。配線２９ａに第１スイッチ部２１ａが介装されている。第１スイッチ部２１ａは、第１系統３００ａに含まれる各照明器具３ａから発生する光の光量及び光色の制御に使用される。第１制御部２５は、第１駆動部２２ａを介して第１スイッチ部２１ａの動作を制御する。第２出力端子２８ｂは、配線２９ｂを介して、電力線４ｂが接続する入力端子２７ｂに電気的に接続されている。
【０１２７】
第３出力端子２８ｃは、配線２９ｃ及び配線２９ａを介して、入力端子２７ａに電気的に接続されている。配線２９ｃに第２スイッチ部２１ｂが介装されている。第２スイッチ部２１ｂは、第２系統３００ｂに含まれる各照明器具３ａから発生する光の光量及び光色の制御に使用される。第１制御部２５は、第２駆動部２２ｂを介して第２スイッチ部２１ｂの動作を制御する。
【０１２８】
第４出力端子２８ｄは、配線２９ｄ及び配線２９ａを介して、入力端子２７ａに電気的に接続されている。配線２９ｄに第３スイッチ部２１ｃが介装されている。第３スイッチ部２１ｃは、第３系統３００ｃに含まれる各照明器具３ａから発生する光の光量及び光色の制御に使用される。第１制御部２５は、第３駆動部２２ｃを介して第３スイッチ部２１ｃの動作を制御する。
【０１２９】
図２７は、実施形態４に係るコントローラー２ｂの外観図であり、カバー部２１１が開かれた状態を示している。図２７に示すように、コントローラー２ｂは、筐体２１０とカバー部２１１とを備える。カバー部２１１は、筐体２１０に回動可能に支持される。なお、カバー部２１１は省略することができる。
【０１３０】
筐体２１０には、入力部２３として、選択ボタン２１２、決定ボタン２１３、アップボタン２１４、ダウンボタン２１５、電源入り切りボタン２１６、第１記憶ボタン２１７、第２記憶ボタン２１８、第３記憶ボタン２１９、おやすみボタン２２０、及びお目覚めボタン２２１が設けられている。
【０１３１】
第１制御部２５は、ユーザーによる入力部２３の操作に応じて、スイッチ部２１ａ、２１ｂ、２１ｃの動作を制御する。即ち、各スイッチ部２１ａ、２１ｂ、２１ｃに含まれる双方向サイリスタ６（図２参照）のターンオンが、各種のボタン２１２〜２２１の操作に応じて制御される。
【０１３２】
第１制御部２５は、カバー部２１１が開くと、図２７に示すように、表示部２４のディスプレイに、各系統３００ａ、３００ｂ、３００ｃの照明器具群から発生する光の現在の光量及び光色（各系統３００ａ、３００ｂ、３００ｃの点灯状態）を示す画面を表示させる。詳しくは、「照明１」は第１系統３００ａの照明器具群を示す。「照明１」の上方の目盛りは、第１系統３００ａに含まれる各照明器具３ａから発生する光の光量及び光色を示す。同様に、「照明２」は第２系統３００ｂの照明器具群を示し、「照明２」の上方の目盛りは、第２系統３００ｂに含まれる各照明器具３ａから発生する光の光量及び光色を示す。また、「照明３」は第３系統３００ｃの照明器具群を示し、「照明３」の上方の目盛りは、第３系統３００ｃに含まれる各照明器具３ａから発生する光の光量及び光色を示す。なお、図２７は、「シーン１」における各系統３００ａ、３００ｂ、３００ｃの点灯状態を示す画面を例示している。
【０１３３】
以下、ユーザーによる入力部２３の操作方法の一例について説明する。まず、ユーザーが、選択ボタン２１２を押下すると、機能選択画面が表示される。機能選択画面は、「シーン１」、「シーン２」、「シーン３」、「お目覚め時刻」、及び「照明選択」の各項目を含む。機能選択画面が表示された後、ユーザーが選択ボタン２１２を押下するごとに、各項目が所定の順序で選択される。
【０１３４】
「シーン１」における各系統３００ａ、３００ｂ、３００ｃの点灯状態を更新する場合、ユーザーは、「シーン１」が選択されているときに、決定ボタン２１３を押下する。これにより、図２７に示す画面が、表示部２４のディスプレイに表示される。
【０１３５】
次にユーザーは、選択ボタン２１２を押下する。選択ボタン２１が押下されるごとに、「照明１」、「照明２」、「照明３」がこの順で繰り返し選択される。ユーザーは、光量及び光色又はそれらのうちの一方の調節を希望する系統が選択されたときに、決定ボタン２１３を押す。これにより、まず、選択された系統の光量のレベルが選択可能となる。
【０１３６】
次にユーザーは、アップボタン２１４又はダウンボタン２１５を押下する。このとき、アップボタン２１４又はダウンボタン２１５が押下される度に、選択された系統の光量の目盛りにおいて、反転表示される位置（光量のレベル）が変化する。ユーザーは、所望の光量のレベルが選択されたときに、決定ボタン２１３を押す。これにより、選択された系統の光量のレベルが設定されるとともに、選択された系統の光色のレベルが選択可能となる。
【０１３７】
次にユーザーは、アップボタン２１４又はダウンボタン２１５を押下する。このとき、アップボタン２１４又はダウンボタン２１５が押下される度に、選択された系統の光色の目盛りにおいて、反転表示される位置（光色のレベル）が変化する。ユーザーは、所望の光色のレベルが選択されたときに、決定ボタン２１３を押す。これにより、選択された系統の光色のレベルが設定されるとともに、表示部２４のディスプレイ上で「登録」が選択される。
【０１３８】
ユーザーは、他の系統の点灯状態を調節する場合は、再度、選択ボタン２１２を操作する。選択ボタン２１２が押下されるごとに、「照明１」、「照明２」、「照明３」がこの順で繰り返し選択される。
【０１３９】
ユーザーが、表示部２４のディスプレイ上で「登録」が選択されているときに決定ボタン２１３を押すと、「シーン１」における各系統３００ａ、３００ｂ、３００ｃの点灯状態が更新される。つまり、設定された光量及び光色の情報が、第１記憶ボタン２１７に対応づけられて、記憶部２５ａに記憶される。
【０１４０】
設定した「シーン１」の点灯状態を再現させる際には、ユーザーは、第１記憶ボタン２１７を押下する。第１記憶ボタン２１７が押下されると、第１制御部２５は、第１記憶ボタン２１７に対応づけて記憶部２５ａに記憶されている情報を用いて、各系統３００ａ、３００ｂ、３００ｃごとに切り欠き５３のパターンを設定する。
【０１４１】
また、現在、「シーン１」が選択されている場合には、「シーン１」における各系統３００ａ、３００ｂ、３００ｃの点灯状態の更新と共に、各系統３００ａ、３００ｂ、３００ｃの照明器具群から発生する光の現在の光量及び光色が調節される。つまり、第１制御部２５は、ユーザーによって設定された光量及び光色に応じた切り欠き５３のパターンを交流電圧５１の波形が有するよう、スイッチ部２１ａ、２１ｂ、２１ｃの動作を制御する。
【０１４２】
「おやすみタイマー機能」を設定する場合、ユーザーは、機能選択画面において、「照明選択」が選択されているときに、決定ボタン２１３を押下する。これにより、表示部２４のディスプレイに、各系統３００ａ、３００ｂ、３００ｃごとに「おやすみタイマー機能」又は「お目覚めタイマー機能」を設定することが可能な画面が表示される。
【０１４３】
まず、ユーザーは、選択ボタン２１２を操作して、「おやすみタイマー機能」又は「お目覚めタイマー機能」の設定を希望する系統（「照明１」、「照明２」、「照明３」）を選択した後、決定ボタン２１３を押下する。これにより、所望の系統に対して、「おやすみタイマー機能」又は「お目覚めタイマー機能」の設定が可能となる。
【０１４４】
次に、ユーザーは、アップボタン２１４又はダウンボタン２１５を押下して、「おやすみタイマー機能」を選択した後、決定ボタン２１３を押下する。これにより、表示部２４のディスプレイに、「おやすみタイマー設定画面」が表示される。「おやすみタイマー設定画面」では、選択された系統が完全消灯するまでの時間の候補が複数表示される。
【０１４５】
次に、ユーザーは、おやすみボタン２２０を操作して、選択された系統が完全消灯するまでの時間を複数の候補の中から選択する。これにより、選択された系統の各照明器具３ａから発生する光が、選択された時間が経過する間に、徐々に光量を落とし、選択された時間が経過すると完全消灯する。この間、光量の変化に合わせて、光色も変化する。この光量及び光色の変化は、選択された系統の各照明器具３ａへ、時間の経過に合わせて、所定の切り欠き５３のパターンを有する交流電圧５１の波形を送ることで実現できる。
【０１４６】
「お目覚めタイマー機能」を設定する場合、ユーザーは、機能選択画面において、「照明選択」が選択されているときに、決定ボタン２１３を押下する。これにより、表示部２４のディスプレイに、各系統３００ａ、３００ｂ、３００ｃごとに「おやすみタイマー機能」又は「お目覚めタイマー機能」を設定することが可能な画面が表示される。
【０１４７】
まず、ユーザーは、選択ボタン２１２を操作して、「おやすみタイマー機能」又は「お目覚めタイマー機能」の設定を希望する系統（「照明１」、「照明２」、「照明３」）を選択した後、決定ボタン２１３を押下する。これにより、所望の系統に対して、「おやすみタイマー機能」又は「お目覚めタイマー機能」の設定が可能となる。
【０１４８】
次に、ユーザーは、アップボタン２１４又はダウンボタン２１５を押下して、「お目覚めタイマー機能」を選択した後、決定ボタン２１３を押下する。これにより、表示部２４のディスプレイに、「お目覚め時刻設定画面」が表示される。
【０１４９】
次に、ユーザーは、アップボタン２１４又はダウンボタン２１５を押下して、まず、「時」を選択した後、アップボタン２１４又はダウンボタン２１５を長押しして、「時」を決定する。次に、ユーザーは、アップボタン２１４又はダウンボタン２１５を操作して、「分」を選択した後、アップボタン２１４又はダウンボタン２１５を長押しして、「分」を決定する。これにより、「お目覚めタイマー時刻」が設定される。
【０１５０】
「お目覚めタイマー機能」を作動させる場合、ユーザーは、お目覚めボタン２２１を押下する。これにより、選択された系統の各照明器具３ａから発生する光の光量が、設定された時刻よりも所定時間前から徐々に上がる。そして、設定された時刻になると、選択された系統の各照明器具３ａが完全点灯する。この間、光量の変化に合わせて、光色も変化する。この光量及び光色の変化は、選択された系統の各照明器具３ａへ、時間の経過に合わせて、所定の切り欠き５３のパターンを有する交流電圧の波形を送ることで実現できる。
【０１５１】
電源入り切りボタン２１６（主電源ボタン）は、コントローラー２ｂの起動及び停止を指示するためのボタンである。即ち、各照明器具３ａが消灯している状態で電源入り切りボタン２１６が押下されると、コントローラー２ｂが起動する。ユーザーは、コントローラー２ｂが起動した後、記憶ボタン２１７〜記憶ボタン２１９のいずれかを押下する。第１制御部２５は、押下された記憶ボタンに対応づけて記憶部２５ａ（図１参照）に記憶されている光量及び光色の情報を用いて切り欠き５３のパターンを設定する。一方、各照明器具３ａが点灯している状態で電源入り切りボタン２１６が押下されると、第１制御部２５は、各駆動部２２ａ〜２２ｃに、双方向サイリスタ６をオフ状態にする駆動信号６１を発生させて、交流電圧５１が各スイッチ部２１ａ〜２１ｃを導通しないようにする。
【０１５２】
なお、各系統３００ａ、３００ｂ、３００ｃの照明器具群に含まれる照明器具３ａの数は複数に限定されるものではなく、各系統３００ａ、３００ｂ、３００ｃの照明器具群はそれぞれ、１つ以上の照明器具３ａを含むことができる。
【０１５３】
（実施形態５）
以下、本発明の実施形態５について、図２８を参照して説明する。実施形態５は、照明器具３ｂにコントローラー２の機能を設けた点が、他の実施形態と異なる。
【０１５４】
図２８は、実施形態５に係る照明器具３ｂの要部を示すブロック図である。図２８に示すように、照明器具３ｂは、２つの機能を実現させるために、スイッチ部２１と、駆動部２２と、入力部２３と、ゼロクロス検出部２６とを備える。
【０１５５】
照明器具３ｂにおいて、制御部７５は、実施形態１と同様に、波形変換回路７０と共に、信号生成部３２を構成する。さらに、制御部７５は、コントローラー２の制御部２５（図１参照）の機能を含む。また、入力部２３は、赤外線受光部である。
【０１５６】
照明器具３ｂは、出力端子３５ａ、３５ｂを備える。出力端子３５ａ、３５ｂは、配線４２ａ、４２ｂを介して、入力端子３４ａ、３４ｂと電気的に接続している。したがって、実施形態２で説明したように、照明器具３ｂを介して、電力線４ａ、４ｂに他の照明器具３ａを少なくとも１つ電気的に接続することができる。これにより、制御用の信号線を敷設することなく、照明器具３ｂが有するコントローラー機能によって、１系統の照明器具群（照明器具３ｂを含む）を一括でコントロールすることが可能となる。
【０１５７】
本実施形態５によれば、他の実施形態と同様に、ユーザーによる入力部２３を介した変更の指示に応じて、点灯負荷３４０の光量及び光色の少なくとも一方を変更することができる。
【０１５８】
（実施形態６）
以下、本発明の実施形態６について、図２９を参照して説明する。実施形態６は、照明器具３ｃの灯具本体３０１の傾き角度を調整可能である点で、他の実施形態と異なる。図２９は、実施形態６に係る照明器具３ｃの外観図である。
【０１５９】
照明器具３ｃは、例えば、舞台照明である。照明器具３ｃは、灯具本体３０１と、灯具本体３０１を回動可能に支持する支持体３０３とを備える。支持体３０３には、駆動モーター３７が内蔵されており、駆動モーター３７が作動することで、灯具本体３０１が回動する。したがって、駆動モーター３７が作動すると、光の出射面３０２の向き（光の照射方向）が変化する。
【０１６０】
更に、照明器具３ｃは、モーター電力供給部３６を備える。モーター電力供給部３６は、スイッチ部２１を介して伝送された交流電圧５１に基づいて、駆動モーター３７に電力を供給する。
【０１６１】
また、駆動モーター３７にはアドレス（宛先）が設定されている。アドレスは、例えばディップスイッチによって設定することができる。信号生成部３２は、切り欠き５３のパターンが駆動モーター３７のアドレスと同一のアドレスを示すパターンを含む場合に、該切り欠き５３のパターンに基づいて、モーター電力供給部３６による駆動モーター３７への電力供給動作を制御する制御信号を生成する。
【０１６２】
例えば、駆動モーター３７がステッピングモーターである場合、切り欠き５３のパターンは、ステッピングモーターの回転角度を示す。また、モーター電力供給部３６は複数のスイッチ素子を含む。信号生成部３２は、切り欠き５３のパターンに基づいて、モーター電力供給部３６の複数のスイッチ素子の各々を駆動する制御信号をそれぞれ生成する。モーター電力供給部３６は、複数のスイッチング素子の動作により、切り欠き５３のパターンで示された回転角度だけステッピングモーターを回転させる電力パルスをステッピングモーターへ供給する。これにより、光の出射面３０２の向き（光の照射方向）を変化させることができる。
【０１６３】
以上、本発明の具体的な実施形態を説明したが、本発明は上記実施形態に限定されるものではなく、上記実施形態に種々の改変を施すことができる。
【０１６４】
例えば、上記各実施形態では、コントローラー２、２ａ〜２ｃは４線式のコントローラーであったが、コントローラー２、２ａ〜２ｃは２線式であってもよい。
【０１６５】
また上記各実施形態では、商用電源５から電力が供給されたが、電力線４ａ、４ｂに電力を供給する外部電源は商用電源５に限定されるものではなく、自家発電機等であってもよい。また、外部電源はＡＣ電源に限定されるものではなく、直流電源であってもよい。この場合、スイッチ部２１、２１ａ〜２１ｃは、直流電圧の波形が、設定された切り欠きのパターンを有するように、直流電圧の導通を制御する。ここで、切り欠きのパターンは、互いに幅が異なる２種類の切り欠きを含む。直流電源として、商用電源５のサインカーブの頂点の電圧よりも低い電圧を供給する電源を使用することで、ノイズの発生を抑制することができる。
【０１６６】
また上記各実施形態では、点灯負荷３４０が、照明素子として、互いに光色の異なる光を出射する２色のＬＥＤ３４１を有したが、点灯負荷３４０は１色のＬＥＤ３４１のみを有してもよい。この場合、調光制御のみが実施される。
【０１６７】
また上記各実施形態では、照明素子がＬＥＤ３４１であったが、照明素子はＬＥＤ３４１に限定されるものではなく、例えば有機ＥＬ素子、白熱電球であってもよい。
【０１６８】
本願は、さらに以下の付記を開示する。なお、以下の付記は、本発明を限定するものではない。
【０１６９】
（付記１）
電圧を供給する外部電源に電力線を介して接続される照明制御装置と、
前記照明制御装置を介して前記電力線に接続される照明器具と
を備えた照明システムであって、
前記照明制御装置は、前記電圧の波形が、制御信号設定区間において、設定された切り欠きのパターンを有するように、前記電圧の導通を制御するスイッチ部を備え、
前記照明器具は、
前記スイッチ部を介して伝送された前記電圧に基づいて、点灯負荷に電力を供給する点灯電力供給部と、
前記切り欠きのパターンに基づいて、前記点灯電力供給部の動作を制御する制御信号を生成する信号生成部と
を備える、照明システム。
【０１７０】
（付記２）
前記点灯負荷は、互いに光色の異なる光を出射する複数色の照明素子を含み、  前記複数色の照明素子の各々から出射される光が混光されて、前記照明器具から任意の光色の光が出射される、付記１に記載の照明システム。
【０１７１】
（付記３）
前記複数色の照明素子が均等配置されている、付記２に記載の照明システム。
【０１７２】
（付記４）
前記制御信号によって、前記複数色の照明素子に流れる電流の割合が制御されて、前記点灯負荷から発生する光の光色が調節される、付記２又は３に記載の照明システム。
【０１７３】
（付記５）
前記制御信号によって、前記複数色の照明素子に流れる電流の合計値が制御されて、前記点灯負荷から発生する光の光量が調節される、付記２〜４のいずれか１項に記載の照明システム。
【０１７４】
（付記６）
前記切り欠きのパターンは、光量を示す第１パターンと、光色を示す第２パターンとを含み、
前記信号生成部は、前記第１パターンの切り欠きに対応する第１デジタル信号と、前記第２パターンの切り欠きに対応する第２デジタル信号とを発生させ、前記第１デジタル信号及び前記第２デジタル信号に基づいて前記制御信号を生成する、付記２〜５のいずれか１項に記載の照明システム。
【０１７５】
（付記７）
前記スイッチ部は、前記電圧の波形が、連続して複数の前記第１パターンの切り欠きを有するように、前記電圧の導通を制御し、
前記信号生成部は、前記第１デジタル信号を連続して複数回発生させ、それらが同一の信号であるか否かに応じて、前記点灯負荷から発生する光の光量の調節の有効無効を判定し、その判定結果に応じた前記制御信号を生成する、付記６に記載の照明システム。
【０１７６】
（付記８）
前記スイッチ部は、前記電圧の波形が、連続して複数の前記第２パターンの切り欠きを有するように、前記電圧の導通を制御し、
前記信号生成部は、前記第２デジタル信号を連続して複数回発生させ、それらが同一の信号であるか否かに応じて、前記点灯負荷から発生する光の光色の調節の有効無効を判定し、その判定結果に応じた前記制御信号を生成する、付記６又は７に記載の照明システム。
【０１７７】
（付記９）
前記照明制御装置は、１個用スイッチボックス型の筐体と、前記筐体に設けられた光量アップボタン、光量ダウンボタン、光色アップボタン、光色ダウンボタン、全灯ボタン、及び電源入り切りボタンとを備える、付記２〜８のいずれか１項に記載の照明システム。
【０１７８】
（付記１０）
前記照明制御装置は、前記全灯ボタンが所定時間以上押された際に設定されている光量及び光色の情報を記憶する記憶部を更に備える、付記９に記載の照明システム。
【０１７９】
（付記１１）
前記光量アップボタン、前記光量ダウンボタン、前記光色アップボタン及び前記光色ダウンボタンが押される前に、前記全灯ボタンが所定時間以上押されると、前記記憶部に記憶されている光量及び光色の情報に応じて、前記切り欠きのパターンが設定される、付記１０に記載の照明システム。
【０１８０】
（付記１２）
前記全灯ボタンが押される毎に、前記点灯負荷から発生する光の光色が、寒色、中間色、暖色の順に切り替わる、付記９〜１１のいずれか１項に記載の照明システム。
【０１８１】
（付記１３）
前記照明器具を複数個備え、
前記複数個の照明器具が前記電力線に対して並列接続されている、付記１〜１２のいずれか１項に記載の照明システム。
【０１８２】
（付記１４）
前記照明器具を複数個備え、
前記複数個の照明器具が前記電力線に対して並列接続されており、かつ、前記複数個の照明器具の各々にアドレスが設定されており、
前記複数個の照明器具の各々の前記信号生成部は、前記切り欠きのパターンが自己のアドレスと同一のアドレスを示すパターンを含む場合に、該切り欠きのパターンに基づいて、前記制御信号を生成する、付記１〜８のいずれか１項に記載の照明システム。
【０１８３】
（付記１５）
前記照明器具は、
前記照明器具の光の出射面の向きを変化させるための駆動モーターと、
前記スイッチ部を介して伝送された前記電圧に基づいて、前記駆動モーターに電力を供給するモーター電力供給部と
を更に備え、
前記駆動モーターにはアドレスが設定されており、
前記信号生成部は、前記切り欠きのパターンが前記駆動モーターのアドレスと同一のアドレスを示すパターンを含む場合に、該切り欠きのパターンに基づいて、前記モーター電力供給部の動作を制御する制御信号を生成して、前記照明器具の光の出射面の向きを変化させる、付記１〜８、１３又は１４のいずれか１項に記載の照明システム。
【０１８４】
（付記１６）
前記スイッチ部は、前記電圧の波形が、前記切り欠きのパターンを繰り返し有するように、前記電圧の導通を制御する、付記１〜１５のいずれか１項に記載の照明システム。
【０１８５】
（付記１７）
前記スイッチ部は、半導体スイッチを含む、付記１〜１６のいずれか１項に記載の照明システム。
【０１８６】
（付記１８）
前記外部電源から交流電圧が供給され、
前記点灯電力供給部は、
前記スイッチ部を介して伝送された前記交流電圧を整流する整流回路と、
前記整流回路の出力を平滑化する平滑回路と
を含み、
前記信号生成部は、前記整流回路による整流後の電圧が有する前記切り欠きのパターンに基づいて、前記制御信号を生成する、付記１〜１７のいずれか１項に記載の照明システム。
【０１８７】
（付記１９）
前記外部電源から交流電圧が供給され、
前記照明器具は、前記点灯電力供給部へ供給される前の前記交流電圧を整流する整流回路を更に備え、
前記信号生成部は、前記整流回路による整流後の電圧が有する前記切り欠きのパターンに基づいて、前記制御信号を生成する、付記１〜１７のいずれか１項に記載の照明システム。
【０１８８】
（付記２０）
前記信号生成部は、
前記整流後の電圧と閾値とを比較して、前記切り欠きの有無に応じた幅を有する２種類のＬレベルを含むパルス信号を生成する波形変換回路と、
前記２種類のＬレベルに基づいて、前記制御信号を生成する第２制御部と
を含む、付記１８又は１９に記載の照明システム。
【０１８９】
（付記２１）
前記２種類のＬレベルは、第１の幅を有する第１Ｌレベルと、前記第１の幅よりも長い第２の幅を有する第２Ｌレベルとを含み、
前記第２制御部は、前記パルス信号のＬレベルの幅の比に基づいて、前記パルス信号のＬレベルが、前記第１Ｌレベルであるのか前記第２Ｌレベルであるのかを判定する、付記２０に記載の照明システム。
【０１９０】
（付記２２）
前記信号生成部は、前記波形変換回路の後段に設けられた反転回路を更に含む、付記２０に記載の照明システム。
【０１９１】
（付記２３）
前記スイッチ部は、前記制御信号設定区間以外の区間において、前記交流電圧を連続的に通過させる、付記１８〜２２のいずれか１項に記載の照明システム。
【０１９２】
（付記２４）
前記照明制御装置は、前記交流電圧のゼロクロスを検出するゼロクロス検出部を更に備え、
前記スイッチ部は、前記ゼロクロス検出部の検出結果に基づいて前記交流電圧の導通を制御する、付記１８〜２３のいずれか１項に記載の照明システム。
【０１９３】
（付記２５）
前記交流電圧の半波において、前記半波が始まる前記ゼロクロスから該半波の位相角度９０度未満の位置まで該半波の波形が切り欠かれるように、前記スイッチ部が前記交流電圧の導通を制御する、付記２４に記載の照明システム。
【０１９４】
（付記２６）
前記半波が始まる前記ゼロクロスから２．５ｍ秒以内の位置まで該半波の波形が切り欠かれるように、前記スイッチ部が前記交流電圧の導通を制御する、付記２５に記載の照明システム。
【０１９５】
（付記２７）
前記照明制御装置は、前記スイッチ部の駆動信号を生成する駆動部を更に備え、
前記駆動部は、前記スイッチ部が連続的に前記交流電圧を通過させる間、前記交流電圧の半波ごとに、前記半波が始まる前記ゼロクロスから該半波が終わる前記ゼロクロスの手前まで前記駆動信号を生成する、付記２４〜２６のいずれか１項に記載の照明システム。
【０１９６】
（付記２８）
前記照明制御装置は、前記スイッチ部の駆動信号を生成する駆動部を更に備え、
前記駆動部は、前記スイッチ部が連続的に前記交流電圧を通過させる間、前記交流電圧の半波のうちの前記切り欠きを形成する対象の半波の手前まで、前記駆動信号を継続して生成する、付記２４〜２６のいずれか１項に記載の照明システム。
【０１９７】
（付記２９）
前記駆動部は、前記切り欠きを形成する対象の半波が始まる前記ゼロクロスから遅延したタイミングで、前記駆動信号の生成を開始する、付記２７又は２８に記載の照明システム。
【０１９８】
（付記３０）
外部電源から供給される電圧の波形が、制御信号設定区間において、設定された切り欠きのパターンを有するように前記電圧の導通を制御するスイッチ部を介して伝送された前記電圧に基づいて、点灯負荷に電力を供給する点灯電力供給部と、
前記切り欠きのパターンに基づいて、前記点灯電力供給部の動作を制御する制御信号を生成する信号生成部と
を備える、照明器具。
【符号の説明】
【０１９９】
１      照明システム
２、２ａ〜２ｃ      コントローラー
３、３ａ〜３ｃ      照明器具
５      商用電源
６      双方向サイリスタ
２１、２１ａ〜２１ｃ    スイッチ部
２２、２２ａ〜２２ｃ    駆動部
２５      第１制御部
２６      ゼロクロス検出部
３１      点灯電力供給部
３２      信号生成部
３６      モーター電力供給部
３７      駆動モーター
３０１    灯具本体
３０２    光の出射面
３１０    整流回路
３２０    平滑回路
３３０    定電流回路
３４０    点灯負荷
３４１    ＬＥＤ
【図１】
0005838239.tif 000002
【図２】
0005838239.tif 000003
【図３】
0005838239.tif 000004
【図４】
0005838239.tif 000005
【図５】
0005838239.tif 000006
【図６】
0005838239.tif 000007
【図７】
0005838239.tif 000008
【図８】
0005838239.tif 000009
【図９】
0005838239.tif 000010
【図１０】
0005838239.tif 000011
【図１１】
0005838239.tif 000012
【図１２】
0005838239.tif 000013
【図１３】
0005838239.tif 000014
【図１４】
0005838239.tif 000015
【図１５】
0005838239.tif 000016
【図１６】
0005838239.tif 000017
【図１７】
0005838239.tif 000018
【図１８】
0005838239.tif 000019
【図１９】
0005838239.tif 000020
【図２０】
0005838239.tif 000021
【図２１】
0005838239.tif 000022
【図２２】
0005838239.tif 000023
【図２３】
0005838239.tif 000024
【図２４】
0005838239.tif 000025
【図２５】
0005838239.tif 000026
【図２６】
0005838239.tif 000027
【図２７】
0005838239.tif 000028
【図２８】
0005838239.tif 000029
【図２９】
0005838239.tif 000030